(57)【要約】【課題】  既設の引き戸の框に孔あけ加工を施すことなく、簡単に後付けできる施錠機構を提供する。【解決手段】  錠１は、框２９の外側面に固定されるケース３、錠本体７を具備する。錠本体７は、シリンダ８、ロータ９、鎖錠ロッド１２を具備する。錠本体７は、解錠位置と、鎖錠位置との間を軸線方向に移動自在であり、鎖錠位置に付勢されてケース３に係合される。シリンダ８はケース３に軸線方向移動自在で回転不能に係合される。ロータ９につながる鎖錠ロッド１２は、係合凹部１２ａを有しケース３の後方へ突出する。ロックピン１３は、錠本体７が鎖錠位置にあり、かつロータ９がロック位置にあるとき、鎖錠ロッド１２の係合凹部１２ａに係合するように付勢される。受け板２は、後方へ突出した鎖錠ロッド１２の先端部を受け入れて内側引き戸２２と外側引き戸２１とを互いに鎖錠するための係合孔２ａを有する。【選択図】  図３
2005171551.tif 000002
【特許請求の範囲】
【請求項１】
外側引き戸の上桟、中桟、下桟の何れかの桟の内側に固定される受け板と、この受け板に係合させるべく内側引き戸の召し合わせ側の框における引き戸移動方向の外側面に固定される錠とを具備し、
前記錠は、前記内側引き戸の召し合わせ側の框に固定されるケースと、このケース内に収容された錠本体とを具備し、
前記錠本体は、シリンダと、このシリンダ内に収容されたロータと、このロータに結合された鎖錠ロッドとを具備し、前記ケースから前端側が突出した解錠位置と、ケースに押し込まれ鎖錠ロッドをケースから後方へ突出させた鎖錠位置との間を前記受け板に対向して軸線方向に移動自在で、鎖錠位置に付勢されてケースに係合され、
前記錠本体のシリンダは、軸線を前記受け板に向けて前記ケースに軸線方向移動自在で回転不能に係合され、
前記錠本体のロータは、キーを挿入することによってロック位置とアンロック位置との間で前記鎖錠ロッドと一体に所定角度回転できるように前記シリンダ内に組み込まれ、
前記錠本体の鎖錠ロッドは、円柱状の外周の一部に係合凹部を有し、前記ロータに連続して前記ケースの後方へ突出し、
前記ケースには、前記錠本体が鎖錠位置にあり、かつ前記ロータがロック位置にあるとき、前記鎖錠ロッドの前記係合凹部に係合するように付勢されたロックピンが設けられ、
前記受け板は、後方へ突出した前記鎖錠ロッドの先端部を受け入れて前記内側引き戸と外側引き戸とを互いに鎖錠するための係合孔を有することを特徴とする引き戸の施錠機構。
【請求項２】
前記錠と受け板は、前記引き戸が所定の狭小幅開放された状態で施錠可能な相互位置関係に配置されていることを特徴とする請求項１に記載の引き戸の施錠機構。
【請求項３】
前記受け板は、選択的に複数の異なる開放位置で前記引き戸を鎖錠することができるように、引き戸の移動方向に所定の相互間隔で並んだ複数の係合孔を有するとともに、各係合孔に対応する複数のノッチ孔を有し、
前記ケースには、前記受け板に対向する側面から突出して前記ノッチ孔に落ち込み可能で、突出方向に弾性的に付勢された位置決め突子が設けられ、
前記位置決め突子は、前記鎖錠ロッドが前記各係合孔に対向する位置において前記各ノッチ孔に落ち込む相対位置に設けられ、
前記位置決め突子とノッチ孔との係合により、前記引き戸を複数の異なる選択的開放位置で仮止めできるように構成されていることを特徴とする請求項１に記載の引き戸の施錠機構。
【発明の詳細な説明】
【技術分野】
【０００１】
この発明は、引き戸を所要の狭小幅で開放した状態で施錠するのに適した後付け容易な引き戸の施錠機構に関する。
【背景技術】
【０００２】
従来、引き戸を所要の狭小幅で開放した状態で施錠するのに適した引き戸の施錠機構として、例えば特許文献１に記載されたものが知られている。これを図８に示す。この施錠機構においては、引き戸２２に、外筒３１が固定され、これに錠前３２のシリンダ３３が軸線方向移動自在に挿入される。錠前３２と外筒３１との間には、軸線方向復帰用のばね３４が挿入される。錠前３２のロータ３５には、鎖錠ロッド３６が結合され、それの端部外周の一部に半径方向に膨出した係合部３５ｃが形成される。鎖錠ロッド３６は、係合部３６ａが特定の軸周り回転角度位置で、引き戸２１上の係合孔２１ａに挿通され、他の回転角度位置では係合孔２１ａから抜け止めされる。キーを錠前３２に挿入して、鎖錠ロッド３６もろとも軸線方向に外筒３１内へ押し込みつつ、ロータ３５と共に鎖錠ロッド３６を所定角度回転させ、鎖錠ロッド３６の係合部３６ａを他方の引き戸２１の係合孔２１ａに係合させて施錠する。
【特許文献１】特開２０００−２０４８１１号公報
【発明の開示】
【発明が解決しようとする課題】
【０００３】
上記従来の施錠機構においては、既設の引き戸に取り付けるためには、框に孔あけ加工を施さなければならず、取付作業が容易でないという問題点がある。
従って、この発明は、既設の引き戸の框に孔あけ加工を施すことなく、簡単に後付けすることができる施錠機構を提供しようとするものである。
【課題を解決するための手段】
【０００４】
この発明においては、以下の構成により上記課題を解決する。外側引き戸２１の上桟２６、中桟２７、下桟２８の何れかの桟の内側に受け板２を固定し、内側引き戸２２の召し合わせ側の框２９における引き戸移動方向の外側面に錠１を固定することにより施錠機構を構成する。錠１は、框２９の外側面に固定されるケース３と、このケース３内に収容された錠本体７とを具備する。錠本体７は、シリンダ８と、このシリンダ８内に収容されたロータ９と、このロータ９に結合された鎖錠ロッド１２とを具備する。錠本体７は、ケース３から前端側が突出した解錠位置と、ケース３に押し込まれ、鎖錠ロッド１２をケース３から後方へ突出させた鎖錠位置との間を受け板２に対向して軸線方向に移動自在であり、鎖錠位置に付勢されてケース３に係合される。シリンダ８は、軸線を受け板２に向けてケース３に軸線方向移動自在で回転不能に係合される。ロータ９は、キー１７を挿入することによってロック位置とアンロック位置との間で鎖錠ロッド１２と一体に所定角度回転できるようにシリンダ８内に組み込まれる。鎖錠ロッド１２は、円柱状の外周の一部に係合凹部１２ａを有し、ロータ９に連続してケース３の後方へ突出する。ケース３には、ロックピン１３が設けられる。ロックピン１３は、錠本体７が鎖錠位置にあり、かつロータ９がロック位置にあるとき、鎖錠ロッド１２の係合凹部１２ａに係合するように付勢される。受け板２は、後方へ突出した鎖錠ロッド１２の先端部を受け入れて内側引き戸２２と外側引き戸２１とを互いに鎖錠するための係合孔２ａを有する。
【発明の効果】
【０００５】
この発明においては、外側引き戸２１の上桟、中桟、下桟の何れかの桟２７の内側に受け板２を固定し、内側引き戸２２の召し合わせ側の框２９における引き戸移動方向の外側面に錠１を固定することにより、きわめて容易に既設引き戸に追加的に施錠機構を構成できるという効果を有する。内側引き戸２２の框２９の加工は不要である。
【発明を実施するための最良の形態】
【０００６】
図面を参照して本発明の実施形態を説明する。図１は本発明の施錠機構を適用した引き戸式アルミサッシの室内側からの正面図、図２は本発明の施錠機構の正面図、図３は本発明の開放施錠機構の一部を切り欠いた平面図、図４は図２におけるIV−IV断面図、図５は本発明の錠の斜視図、図６は本発明の錠の解錠時キーを抜いた状態の一部を切り欠いた平面図、図７は本発明の錠の解錠時の一部を切り欠いた平面図である。
【０００７】
図１において、外側引き戸２１と内側引き戸２２が、家屋の開口２３に、引き違い自在に建て込まれている。外側引き戸２１は、左右両側の框２４，２５の間に上桟２６、中桟２７、下桟２８がわたされ、各桟の間にガラスがはめ込まれている。内側引き戸２２も同様の構造で、框２９，３０、上桟３１、中桟３２、下桟３３を有し、ガラスがはめ込まれている。
【０００８】
内側引き戸２２の召し合わせ側の框２９には、錠１が固着されている。一方、外側引き戸２１の中桟２７の内側には、錠１と係合可能な係合孔２ａを有する受け板２が固着されている。受け板２は、横方向に所定の相互間隔を置いて並んだ複数の係合孔２ａと各係合孔２ａの下方に配置されたノッチ孔２ｂを有する。錠１は、図３に示すように、鎖錠ロッド１２を受け板２の係合孔２ａへ係合させて施錠し、キー操作で開錠できるように構成されている。受け板２は、外側引き戸２１の上桟２６、中桟２７、下桟２８の何れかに取り付けることができ、その位置に応じて錠１を固定することができる。
【０００９】
図２ないし図４に示すように、外側引き戸２１の中桟２７は、ほぼ扁平四角筒状のアルミ型材から構成され、屋内側の側壁に、受け板２の係合孔２ａに対応する係合孔２７ａが形成されている。受け板２はステンレス鋼製で、係合孔２ａを中桟２７の係合孔２７ａに重ねて中桟２７上にねじ止めされる。受け板２は、比較的脆弱なアルミニウム製の中桟２７を補強する。受け板２の係合孔２ａは、引き戸２１，２２の閉鎖状態又は図１に仮想線で示すように、家屋の開口２３に対して人が通過できない限度の所要幅の狭小開放部を形成した状態で施錠可能な錠１との相対位置関係に配置されている。
【００１０】
錠１は、内側の引き戸２２の框２９に固定されている。錠１のケース３は、一端側の取付座３ａにおいて、ねじ４で框２９の外側面２９ａに固定されている。ケース３は、錠本体７のシリンダ８を受け入れる円形孔３ｂ、鎖錠ロッド１２を受け入れる貫通孔３ｃ、位置決め突子１５を受け入れる貫通孔３ｄを有する。
【００１１】
ケース３の円形孔３ｂ内に、錠本体７が挿入されている。錠本体７は、シリンダ８と、このシリンダ８に対してキーの挿入によってロック位置とアンロック位置との間で９０°回転可能に組み込まれたロータ９とを具備する。
【００１２】
シリンダ８には、ガイドねじ１０が、頭部を外周に突出させて半径方向に螺合されている。シリンダ８は、ガイドねじ１０の頭部をケース３のガイド溝３ｅに係合させて、ケース３から前端側が突出した解錠位置（図６）と、ケース３に押し込まれた鎖錠位置（図３）との間を軸線方向に移動自在に円形孔３ｂ内に挿入され、円形孔３ｂ内に挿入されたばね１１により、常時解錠位置へ付勢されている。
【００１３】
シリンダ８から後方へ突出したロータ９の後端には、鎖錠ロッド１２が結合されている。鎖錠ロッド１２は、円柱状の外周の一部に係合凹部１２ａを有し、孔３ｂを貫通してケース３の後方へ出没し、受け板２の係合孔２ａへ係合、離脱自在である。ケース３には、孔３ｃの内側へ半径方向に出没自在に、かつ突出方向へばね１４で付勢されて、ロックピン１３が設けられている。
【００１４】
ロックピン１３は、錠本体７が鎖錠位置にあり、かつロータ９がロック位置にあるとき、鎖錠ロッド１２の係合凹部１２ａに係合し、鎖錠ロッド１２の軸方向の移動を阻止する。
【００１５】
位置決め突子１５は、鎖錠ロッド１２の下方に位置してケース３の貫通孔３ｃに挿入されており、常時先端をケース３の後方へ突出させて受け板２のノッチ孔２ｂに係合するようにばね１６で付勢されている。
【００１６】
例えば図３に示すように、内側引き戸２２を所要幅だけ開いて、位置決め突子１５が受け板２のノッチ孔２ｂに係合した状態で、シリンダ８、ロータ９、鎖錠ロッド１２を一体にケース３内へ軸線方向に押し込むと、鎖錠ロッド１２が受け板２の係合孔２ａに係合する。この状態で、ロックピン１３が係合凹部１２ａに係合して鎖錠ロッド１２が抜け止めされ、内外の引き戸２１，２２間が施錠される。解錠する場合には、キー１７をロータに挿入して９０°回転させればよい。鎖錠ロッド１２は、ロックピン１３を半径方向に後退させながら回転し、ロックピン１３が係合凹部１２ａから外れると、ばね１１により錠本体７全体がケース３から押し出され、鎖錠ロッド１２が受け板２の係合孔２ａから抜ける（図６）。この状態から、ロータ９を９０°戻して図５の状態にすれば、キー１７を抜き取ることができる。
【産業上の利用可能性】
【００１７】
この発明の引き戸の施錠機構は、例えば既設の引き戸の二重鎖錠として、あるいは既設の引き戸を所要の狭小幅で開放した状態で施錠する開放鎖錠として適用することができる。
【図面の簡単な説明】
【００１８】
【図１】本発明の施錠機構を適用した引き戸式アルミサッシの室内側からの正面図ある。
【図２】本発明の施錠機構の正面図ある。
【図３】本発明の開放施錠機構の一部を切り欠いた平面図ある。
【図４】図２におけるIV−IV断面図。
【図５】本発明の錠の斜視図ある。
【図６】本発明の錠の解錠時キーを抜いた状態の一部を切り欠いた平面図ある。
【図７】本発明の錠の解錠時の一部を切り欠いた平面図である。
【図８】従来の施錠機構の平面図である。
【符号の説明】
【００１９】
１    錠
２    受け板
２    係合孔
２ｂ  ノッチ孔
３    ケース
３ａ  取付座
３    円形孔
３    貫通孔
３    貫通孔
３    ガイド溝
４    ねじ
７    錠本体
８    シリンダ
９    ロータ
１０    ガイドねじ
１１    ばね
１２    鎖錠ロッド
１２ａ  凹部
１３    ロックピン
１４    ばね
１５    位置決め突子
１６    ばね
１７    キー
２１    外側引き戸
２２    内側引き戸
２３    開口
２６    上桟
２７    中桟
２８    下桟
２９    框
【図１】
2005171551.tif 000003
【図２】
2005171551.tif 000004
【図３】
2005171551.tif 000005
【図４】
2005171551.tif 000006
【図５】
2005171551.tif 000007
【図６】
2005171551.tif 000008
【図７】
2005171551.tif 000009
【図８】
2005171551.tif 000010